(57)【要約】【課題】ＲＡＷ画像を記録しつつ、モードに応じて表示用の現像処理内容を変更することを可能にする。【解決手段】撮像手段により生成されたＲＡＷ画像データを記憶する第１の記憶手段と、前記ＲＡＷ画像データを圧縮した圧縮画像データを記憶する第２の記憶手段と、前記撮像手段により生成されるＲＡＷ画像データを簡易現像する第１の現像手段と、前記第１の記憶手段から読みだされた画像データと前記第２の記憶手段から読みだされて伸張された画像データのいずれか一つを入力画像として選択する第１の選択部と、前記第１の選択部により選択されたＲＡＷ画像データを高画質現像する第２の現像手段と、前記第１の現像手段により生成された画像または前記第２の現像手段により生成された画像のいずれか一つを表示用の出力画像として選択する第２の選択部と、所定のモードに応じて前記第１及び第２の選択部を制御する制御手段とを有する。【選択図】図１
2017168984.tif 000002
【特許請求の範囲】
【請求項１】
被写体を撮像してＲＡＷ画像データを生成する撮像手段と、前記撮像手段により生成されたＲＡＷ画像データを記憶する第１の記憶手段と、前記ＲＡＷ画像データを圧縮した圧縮画像データを記憶する第２の記憶手段とを有する撮像装置であって、
前記撮像手段により生成されるＲＡＷ画像データを簡易現像する第１の現像手段と、
前記第１の記憶手段から読みだされた画像データと前記第２の記憶手段から読みだされて伸張された画像データのいずれか一つを入力画像として選択する第１の選択部と、
前記第１の選択部により選択されたＲＡＷ画像データを高画質現像する第２の現像手段と、
前記第１の現像手段により生成された簡易現像された画像または前記第２の現像手段により生成された高画質現像された画像のいずれか一つを表示用の出力画像として選択する第２の選択部と、
前記第１の選択部と前記第２の選択部の動作を切り替える選択手段と、
所定のモードに応じて前記選択手段を制御する制御手段と、
を有することを特徴とする撮像装置。
【請求項２】
前記選択手段は、前記第１の現像手段により生成される簡易現像された画像または前記第２の現像手段により生成される高画質現像された画像のいずれか一つを外部に接続される表示装置への出力画像として選択する第３の選択部をさらに備え、
前記制御手段は、前記第２の選択部と前記第３の選択部を個別に制御できることを特徴とする請求項１に記載の撮像装置。
【請求項３】
前記制御手段は、前記出力画像を、撮像装置の撮像モード設定機能に対応して選択するよう前記選択手段を制御することを特徴とする請求項１または２に記載の撮像装置。
【請求項４】
前記ＲＡＷ画像データから画像の特徴を抽出して制御情報を生成する特徴抽出手段をさらに有し、
前記制御手段は、前記制御情報に基づいて前記選択手段を制御することを特徴とする請求項１〜３の何れか１項に記載の撮像装置。
【請求項５】
前記特徴抽出手段は、複数の画像データから被写体の動きを検出して前記制御情報を生成することを特徴とする請求項４に記載の撮像装置。
【請求項６】
前記特徴抽出手段は、前記画像データから被写体を認識して前記制御情報を生成することを特徴とする請求項４に記載の撮像装置。
【請求項７】
撮像装置の状態を検出する状態検出手段をさらに有し、
前記状態検出手段は、撮像装置自体の動きを検出して状態情報として出力し、
前記制御手段は、前記出力画像を、前記状態情報に基づいて選択するよう前記選択手段を制御することを特徴とする請求項１〜６の何れか１項に記載の撮像装置。
【請求項８】
撮像手段により生成されたＲＡＷ画像データと、前記ＲＡＷ画像データを圧縮した圧縮画像データとを記憶媒体に記憶する撮像装置の制御方法であって、
前記ＲＡＷ画像データを簡易現像し、簡易現像された画像を生成するとともに、
前記記憶媒体から読みだされた画像データと、前記記憶媒体から読みだされて伸張された画像データのいずれか一つを入力画像として選択し、選択したＲＡＷ画像データを高画質現像し、高画質現像された画像を生成し、
前記簡易現像された画像、前記記憶媒体から読み出されて高画質現像された画像、または前記記憶媒体から読みだされて伸張されてから高画質現像された画像のいずれか一つを表示用の出力画像として所定のモードに応じて選択されるように制御することを特徴とする撮像装置の制御方法。
【請求項９】
コンピュータを、請求項１〜７の何れか１項に記載の撮像装置の各手段として実行させることを特徴とするプログラム。
【発明の詳細な説明】
【技術分野】
【０００１】
本発明は撮像装置及び撮像装置の制御方法に関し、特に、撮像によってＲＡＷ画像の生成を行うとともにその撮像画像を表示する機能に関する。
【背景技術】
【０００２】
従来の撮像装置では、撮像センサーによって撮像されたそのままの画像情報（ＲＡＷ画像）をデベイヤー処理（デモザイク処理）し、輝度と色差から成る信号に変換する。そして、各信号についてノイズ除去、光学的な歪補正、画像の適正化などの所謂現像処理を行っている。そして、現像処理された輝度信号及び色差信号を圧縮符号化して、記録媒体に記録するのが一般的である。
【０００３】
一方でＲＡＷ画像を記録できる撮像装置も存在する。ＲＡＷ画像は、記録に必要なデータ量が膨大になるが、オリジナル画像に対する補正や劣化を最低限に抑えられ、撮影後に編集できる利点があるので、上級者によって好んで使われている。最近では、ＲＡＷ画像を手軽に編集できるアプリケーションが増え、上級者ではない人の間にも浸透してきている。
【０００４】
近年の撮像装置は、撮像センサーが進化し、画像１枚あたりの画素数が大幅に増加してきている。また、連写できる画像の枚数も増える傾向にある。ＲＡＷ画像に対するデベイヤー処理や、ノイズ除去、光学歪補正など、現像処理を成すそれぞれの処理量が相乗的に増大し、撮影と並行したリアルタイムの現像処理を行うために、膨大な回路や消費電力を費やしている。このため、現像処理による回路の占有や消費電力上の制限などのために、高い撮影パフォーマンスを断念せざるをえない状況も起こりうる。
【０００５】
一方、ＲＡＷ画像を現像せずに記録する構成とする場合、撮影時の現像に係る処理量は軽減される。しかしながら、処理軽減の反面、現像されていない状態で記録されるので、画像を速やかに再生表示することが困難である。さらに、ＲＡＷ画像データの独自性によって、撮像した機器と別の機器ではＲＡＷ画像を再生（現像）できない場合があり、従来のＲＡＷ画像の記録方式では、ユーザの利便性を損なうことがあった。
そこで、前述の対策として特許文献１のように、撮影時に処理量の小さい簡易現像を行って再生容易な画像を確保しつつ、ＲＡＷ画像からの高画質現像も可能にした撮像装置及び撮像装置の制御方法が提案されている。
【先行技術文献】
【特許文献】
【０００６】
【特許文献１】特開２０１４−１７９８５１号公報
【発明の概要】
【発明が解決しようとする課題】
【０００７】
しかしながら、特許文献１の方法では、撮影時にＲＡＷ画像のみを保存することが前提となっており、再生表示用に現像されたデータはあくまで簡易的な現像処理を施されたものである。このデータは、従来のＪＰＥＧ等のような非可逆圧縮して記録するデータであるので品質的な劣化が生じることがある。また、高画質を求めるユーザにとっては表示品質としてユーザの要望を満たさない場面もありうる。
【０００８】
また、特許文献１の方法では、ＲＡＷ画像を記録や撮影していない時間に、記録されたＲＡＷ画像を読み出してＪＰＥＧ等の非可逆圧縮を行って圧縮画像を生成するものである。このため、撮影直後に画像を再生したいときに再生用画像が生成されていない場合が考えられる。その際は、ＲＡＷ画像を現像して表示することになり、表示までの遅延時間が大きくなってしまうという問題がある。
本発明は前述の問題点に鑑み、ＲＡＷ画像を記録しつつ、モードに応じて表示用の現像処理内容を変更することを可能にした撮像装置を提供することを目的とする。
【課題を解決するための手段】
【０００９】
本発明の撮像装置は、被写体を撮像してＲＡＷ画像データを生成する撮像手段と、前記撮像手段により生成されたＲＡＷ画像データを記憶する第１の記憶手段と、前記ＲＡＷ画像データを圧縮した圧縮画像データを記憶する第２の記憶手段とを有する撮像装置であって、前記撮像手段により生成されるＲＡＷ画像データを簡易現像する第１の現像手段と、前記第１の記憶手段から読みだされた画像データと前記第２の記憶手段から読みだされて伸張された画像データのいずれか一つを入力画像として選択する第１の選択部と、前記第１の選択部により選択されたＲＡＷ画像データを高画質現像する第２の現像手段と、前記第１の現像手段により生成された簡易現像された画像または前記第２の現像手段により生成された高画質現像された画像のいずれか一つを表示用の出力画像として選択する第２の選択部と、前記第１の選択部と前記第２の選択部の動作を切り替える選択手段と、所定のモードに応じて前記選択手段を制御する制御手段とを有することを特徴とする。
【発明の効果】
【００１０】
本発明によれば、ＲＡＷ画像を記録しつつ、モードに応じて表示用の現像処理内容を変更する撮像装置を提供することができる。
【図面の簡単な説明】
【００１１】
【図１】第１の実施形態に係る撮像装置の構成例を示すブロック図である。
【図２】第２の実施形態に係る撮像装置の構成例を示すブロック図である。
【図３】第３の実施形態に係る撮像装置の構成例を示すブロック図である。
【図４】第１及び第２の実施形態に係る撮像装置の動作を説明するフローチャートである。
【図５】第３の実施形態の撮像装置に係る動作を説明するフローチャートである。
【図６】信号の経路を示す図である。
【図７】各経路による差分の特徴の一例を表した図である。
【発明を実施するための形態】
【００１２】
以下、図面を参照しながら本発明の好適な実施の形態を説明する。
［第１の実施形態］
図１は、本発明による第１の実施形態に係る撮像装置の構成例を示したブロック図である。
レンズ部１００は、被写体を撮像するレンズである。
撮像センサー部１０１は、レンズ部１００により撮像された被写体を光電変換して入力画像データに変換する。
センサー信号処理部１０２は、撮像センサー部１０１から入力される入力画像データをＲＡＷ画像データに変換処理する。
ＲＡＷリサイズ部１０３は、ＲＡＷ画像データをリサイズする。ＲＡＷ画像データバッファ１０４は、ＲＡＷ画像データを一時的に保持する記憶媒体である。
【００１３】
高画質現像部１０５は、ＲＡＷ画像データを現像して高画質な現像データを生成する。
ＲＡＷ圧縮部１０６は、圧縮ＲＡＷ画像データを生成する。圧縮画像データバッファ１０７は、圧縮ＲＡＷ画像データを記憶する記憶媒体である。ＲＡＷ伸張部１０８は、圧縮ＲＡＷ画像データを伸張する。
簡易現像部１０９は、ＲＡＷ画像データを現像して簡易画像を生成する。簡易現像部１０９を第１の現像部、高画質現像部１０５を第２の現像部とする。
現像リサイズ部１１０は、現像データをリサイズする。パネル表示部１１１は、現像データを画像として表示する。圧縮部１１２は、現像データを圧縮する。
【００１４】
１１３は制御部である。制御部１１３は、ＣＰＵと当該ＣＰＵが実行するプログラムを格納するＲＡＷ選択部１１４は、ＲＡＷ画像データを選択する。現像データ選択部１１５は、現像データを選択する。バッファＯＮ／ＯＦＦスイッチ１１６は、ＲＡＷ画像データバッファ１０４を、とするスイッチである。
【００１５】
図１を用いて第１の実施形態に係る撮像装置における信号の流れを説明する。
レンズ部１００において被写体を撮像し、光情報として撮像センサー部１０１に送る。光情報は、撮像センサー部１０１において電気信号に変換され、センサー信号処理部１０２において変換処理されてＲＡＷ画像データが生成される。
【００１６】
センサー信号処理部１０２から出力されるＲＡＷ画像データは、ＲＡＷリサイズ部１０３、ＲＡＷ画像データバッファ１０４、ＲＡＷ圧縮部１０６へと送られる。
ＲＡＷリサイズ部１０３は、現像前のデータであるＲＡＷ画像データを表示する機器の表示サイズに合わせてリサイズする。リサイズされたＲＡＷ画像データは簡易現像部１０９に送られ、現像処理が施されて簡易現像データを生成する。
【００１７】
簡易現像部１０９では、表示装置の出力遅延を抑えるために、簡素化した現像処理を行う。例えば、色を省いて輝度のみのモノクロ画像として処理する、多数ラインの遅延を必要とする垂直方向のフィルタリング処理を省く等の方法が考えられるが、本実施形態ではその方法については特に言及するものではない。
【００１８】
ＲＡＷ画像データバッファ１０４では、ＲＡＷ画像データをそのまま保持する。このＲＡＷ画像データバッファ１０４は、圧縮画像データバッファ１０７と同じメモリとして共有してもよい。また、記憶メモリ容量の削減やデータの帯域削減のためにＲＡＷ画像データバッファ１０４を使用しない構成もありうる。その場合、制御部１１３の指示によりバッファＯＮ／ＯＦＦスイッチ１１６をＯＦＦ（未使用）と指示することでＲＡＷ画像データバッファ１０４を不要とすることが可能となる。
【００１９】
ＲＡＷ圧縮部１０６は、ＲＡＷ画像データを圧縮処理して圧縮画像データを生成し、圧縮画像データバッファ１０７へと記憶する。ＲＡＷ圧縮部１０６で行われる圧縮処理は、圧縮元データであるＲＡＷ画像データ情報を損失しない可逆圧縮であることが望ましいが、システムによっては非可逆圧縮であってもよく、圧縮方法に関しては特に言及しない。
ＲＡＷ画像データを圧縮することにより、圧縮画像データバッファ１０７のメモリ容量およびデータバスの帯域を削減可能となる。なお、前述したとおり、圧縮画像データバッファ１０７はＲＡＷ画像データバッファ１０４と共有してもよい。
【００２０】
ＲＡＷ伸張部１０８は、圧縮画像データバッファ１０７に記憶されている圧縮画像データを読み出し、ＲＡＷ画像データに伸張する。ＲＡＷ圧縮部１０６において可逆圧縮が施されている場合、伸張されたデータは圧縮前のデータであるＲＡＷ画像データと同一になる。
【００２１】
ＲＡＷ選択部１１４は、制御部１１３の指示に従って高画質現像部１０５へと渡すＲＡＷ画像データを選択する。ＲＡＷ選択部１１４の入力は、ＲＡＷ画像データバッファ１０４もしくはＲＡＷ伸張部１０８のＲＡＷ画像データとなる。
ＲＡＷ伸張部１０８において伸張されたＲＡＷ画像データが可逆圧縮されたものならば、ＲＡＷ画像データとしては同じものとなるが、時間的には差がある画像である。（非可逆圧縮された場合では、画質および時間の両方が異なるものとなる）。
【００２２】
ＲＡＷ画像データバッファ１０４からのデータは、ＲＡＷ画像データバッファ１０４にＲＡＷ画像データを書き込む／読み出すという時間が必要になる。それに対し、ＲＡＷ伸張部１０８からのデータは、ＲＡＷ圧縮部１０６によるＲＡＷ圧縮処理時間、ＲＡＷ画像圧縮画像データを圧縮画像データバッファ１０７へ書き込む／読み出す時間、ＲＡＷ伸張部１０８において伸張する時間が必要である。
【００２３】
ＲＡＷ選択部１１４に入力するデータとしては、ＲＡＷ伸張部１０８からのデータ取得がＲＡＷ画像の圧縮／伸張処理により、遅延時間が多くなる。メモリの容量やデータ帯域の増加よりも画質をよくしてできるだけ遅延を少なくすることを重視したい場合は、ＲＡＷ画像データバッファ１０４の経路を選択する。逆に遅延時間よりもメモリの容量やデータ帯域の節約を重視する場合は、ＲＡＷ伸張部１０８の経路を選択する。ＲＡＷ伸張部１０８の経路を選択する際、不要なバッファを使用しないように制御部１１３は、同時にバッファＯＮ／ＯＦＦスイッチ１１６をＯＦＦと選択する。
【００２４】
高画質現像部１０５において、遅延時間短縮よりも画質を重視し、簡易現像部１０９と比較してより高度な現像処理を行う。高度な現像を施された現像データは、圧縮部１１２において圧縮処理を施され、データサイズを少なくして圧縮画像データバッファ１０７に記憶される。
圧縮部１１２では、データサイズを少なくするのが目的なので、画質的に問題ないのであれば、ＪＰＥＧ等（動画の場合はＨ．２６４等）の非可逆圧縮でも構わない。本実施形態では、圧縮部１１２での圧縮方式自体は言及しない。
【００２５】
現像リサイズ部１１０において、高画質現像部１０５にて現像処理された現像データをパネル表示部１１１の表示サイズに合わせてリサイズする。このパネル表示部１１１は、デジタルカメラ等に搭載されるＥＶＦパネルや背面パネルを想定している。
現像データ選択部１１５は、制御部１１３の指示に従って簡易現像部１０９からの現像データ、または現像リサイズ部１１０からの現像データのいずれかを選択し、表示用の画像としてパネル表示部１１１へと送る。遅延時間をできるだけ少なくした画像をパネル表示部１１１に表示したい場合は、簡易現像部１０９からの現像データを出力する。一方、できるだけ高画質な画像を表示したい場合は、現像リサイズ部１１０からの現像データを出力する。ＲＡＷ選択部１１４を第１の選択部とし、現像データ選択部１１５を第２の選択部とする。
【００２６】
図６のブロック図、および図７を用いて各信号経路に関して生じる処理内容差に関して説明する。
図６は、図１のブロック図上に、現像処理を施すまでの信号経路を示した矢印を追加したものである。
６００の実線矢印、６０１の点線矢印、６０２の一点鎖線矢印はそれぞれ経路を示している。
【００２７】
図７は、各経路による差分の特徴の一例を表した図である。
図７において、縦の項目は経路６００〜６０２、横の項目はメモリ帯域の使用量、画質、処理の遅延量を示している。
経路６００は、簡易現像部１０９への経路である。この経路６００は、メモリの帯域をほとんど使用しないので、帯域は「小」、簡易現像なので画質は「低」、遅延量は小さいので「小」となる。
【００２８】
経路６０１は、ＲＡＷ画像データバッファ１０４を経由して高画質現像部１０５へと至る経路である。この経路６０１は、ＲＡＷ画像を圧縮無しでＲＡＷ画像データバッファ１０４に格納するのでメモリ帯域は「大」、高画質現像なので画質は「高」、遅延量は経路６００より大きく経路６０２より小さいので「中」となる。
【００２９】
経路６０２は、ＲＡＷ圧縮部１０６を経由して高画質現像部１０５へと至る経路である。この経路６０２は、圧縮伸張処理データの格納に圧縮画像データバッファ１０７を使用するのでメモリ帯域は「中」、高画質現像なので画質は「高」、遅延量は他の経路よりも大きいので「大」となる。
このように、経路６００〜６０２によってそれぞれ特徴が異なるので、本実施形態の撮像装置を実装するシステムに合わせて適応的に対応可能である。
【００３０】
次に、図４のフローチャートを用いて、制御部１１３による現像データ選択部１１５を制御する一例を説明する。なお、制御部１１３は、現像データ選択部１１５以外にＲＡＷ選択部１１４とバッファＯＮ／ＯＦＦスイッチ１１６も制御する。しかしながらこれらの選択は、システムとしてのＲＡＷ画像データバッファ１０４使用の有無を静的に制御するものであるので動作例としては省略する。
【００３１】
Ｓ４００は、本実施形態に係る撮像装置を使用したシステムの制御開始を表している。
Ｓ４０１において、制御開始直後は現像データ選択部１１５の選択を現像リサイズ部１１０として、高画質現像モードに設定する。ユーザが本システムを使用する際、まずは高画質な表示をさせて視認性を上げる。
Ｓ４０２においてモードが変更されたかどうか、撮影状況を判定する。モードの変更がない場合、そのままＳ４０３のパネル表示処理へと進む。ユーザからの指示により、現在のモード（ここでは高画質現像モード）から変更指示が来た場合、Ｓ４０４へと進む。モードの変更は、例えばデジタルカメラに搭載されている撮影モードダイヤルが変更された場合等を想定している。
【００３２】
風景モードの場合、表示画像のレスポンスではなく、むしろ被写体がどのような状態で写っているのかを確認する方が重要である。従って、その場合は高画質現像モードを選択するように制御する。
一方、スポーツモードの場合、被写体は風景等と異なり、常に不規則に動いている場合が多い。表示遅延が大きいと、被写体をとらえ続けるのが困難なので、画質よりもレスポンスを重視して簡易現像モードを選択することになる。また、ダイレクトに高画質モード、低遅延モードをユーザが切り替えられる仕様であってもよい。
【００３３】
Ｓ４０４において簡易現像モードの設定が行われ、現像データ選択部１１５は簡易現像部１０９の簡易現像データを選択し、Ｓ４０３において表示処理が行われる。
以降、撮影処理が終了するまでＳ４０２〜Ｓ４０４の処理が繰り返されることとなる。撮影処理が終了されると本フローも終了となる。
以上のように動作することで、各モードに適した表示が可能となる。
【００３４】
［第２の実施形態］
図２は、第２の実施形態に係る撮像装置の構成例を説明するブロック図である。
図２に示されるブロックのうち、図１と同様の働きをするブロックは図１と同じ番号を付して説明については省略する。
２００は、外部表示装置への出力を選択する外部出力選択部である。２０１はライン表示処理部である。２０２は外部からの制御指示である。
本実施形態は、第１の実施形態で示したＥＶＦパネル等のパネル表示部１１１以外にライン出力等による外部のモニタを接続する場合の例を説明する。
【００３５】
ライン表示処理部２０１は、前述したように外部のモニタ等への現像データ出力を処理するブロックである。本実施形態においては、外部出力選択部２００により、パネル表示部１１１への出力と独立して制御できるようになっている。独立して選択できない場合、パネル表示部１１１もしくはライン表示処理部２０１が接続される表示装置のどちらかの性能に合わせて処理するしかなくなり、性能的に差がある場合は片方の表示しかできない事態が起こりうる。本実施形態において、独立して選択可能とすることにより、パネル表示部１１１および外部モニタ等の仕様に合わせて、それぞれ現像データの処理が可能となる。
【００３６】
第２の実施形態は、撮影者と外部モニタで画像を見る人が別の場合に有効である。例えば、映画等の撮影で、撮影を指示する監督はライン表示処理部２０１に接続されているモニタで高画質な画像（ただし、表示遅延あり）を見ながら撮影者に指示を出す。撮影者は画質よりも画角を重視して、ＥＶＦ等のパネル表示部１１１を見ながら撮影することができる。画角を重視する場合は、遅延を限りなく少なくするために輝度情報だけのモノクロ画像でもよい。
【００３７】
制御指示２０２は、現像データ選択部１１５および外部出力選択部２００を設定する指示であり、例えば前述した撮影者とは別のユーザが任意に出す指示を受けて制御部１１３が制御動作を行う。
現像データ選択部１１５および外部出力選択部２００を制御する動作そのものに関しては第１の実施形態において説明した図４に示したフローチャートと同様である。この制御フローを本実施形態の如き外部出力モードのときにも現像データ選択部１１５および外部出力選択部２００に対して独立に行う。
以上のように、撮像装置の撮像モード設定機能に対応して出力画像を選択することが可能となり、撮像装置の表示部と外部モニタ等の表示を個別に制御可能となる。
【００３８】
［第３の実施形態］
図３は、第３の実施形態に係る撮像装置の構成例を説明するブロック図である。
図３に示されるブロックのうち、図１、図２と同様の働きをするブロックは図１、図２と同じ番号を付して説明については省略する。
３００は、ＲＡＷ画像データから特徴量を抽出する特徴抽出部である。
３０１は、撮像装置自体の状態を検出する撮像装置状態検出部である。
特徴抽出部３００は、ＲＡＷ画像データから撮像している被写体の特徴（例えば、人なのか風景なのか等）を抽出し、制御情報として制御部１１３へ出力する。
撮像装置状態検出部３０１は、現在の撮像装置自体の状態（固定されているのか、動いているのか等）を検出し、状態情報として制御部１１３へ出力する。
【００３９】
次に、図５のフローチャートを用いて制御部１１３による現像データ選択部１１５を制御する一例を説明する。図５のフローチャートにおいて、Ｓ４００〜Ｓ４０４の処理内容は図４と同等である。
Ｓ４００、Ｓ４０１およびＳ４０２においては、第１の実施形態と同様の処理を行い、Ｓ４０２でユーザからモード変更指示が出ていない場合はＳ５００に進む。
Ｓ５００においては、撮像装置自体の状態を判定する。この判定は、所定のモードの判定に加えて、撮影状況や撮像画像の特徴を判定する。撮像装置状態検出部３０１において撮像装置の動きを検出し、動きがなければ（もしくは微小な動き）、Ｓ５０２へと進む。動きがあった場合Ｓ５０１に進む。
【００４０】
Ｓ５０１においては、その動きがパン動作（同一方向への一定の動き）かどうか判定する。パン動作の場合、表示遅延量が大きいと被写体を安定して捉えにくくなるので、Ｓ４０４へ進んで簡易現像モードに設定を変更する。それ以外の場合はＳ５０２へと進む。
Ｓ５０２においては、特徴抽出部３００において複数のＲＡＷ画像データ内の被写体の特徴を抽出し、画像解析処理を行う。例えば、被写体の動きの大きさ、写っているもの（子供、ペット、風景等）を認識してその特徴をデータとして解析し、その後、Ｓ５０３に移行する。
【００４１】
Ｓ５０３においては被写体の動き、または予想外の動きを行いそうなものが被写体であるか判定する。動きの激しい被写体がある場合、Ｓ４０４へ進んで簡易現像モードに設定し、それ以外はＳ４０１に進んで、高画質現像モードに設定する。具体的には、風景やポートレイト風の被写体は動きが少ないと判定してＳ４０１に進み、子供やペット、あるいは現状で画面内で大きな被写体の動きが確認された場合はＳ４０４に進んで表示遅延が少ない簡易現像モードに設定する。
このように動作することで、表示遅延によってユーザが意図した画角で撮影ができなくなる状況を軽減することが可能である。
以上、本発明の好ましい実施形態について説明したが、本発明はこれらの実施形態に限定されず、その要旨の範囲内で種々の変形及び変更が可能である。
【００４２】
［その他の実施形態］
本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４３】
１００  レンズ部
１０１  撮像センサー部
１０２  センサー信号処理部
１０３  ＲＡＷリサイズ部
１０４  ＲＡＷ画像データバッファ
１０５  高画質現像部
１０６  ＲＡＷ圧縮部
１０７  圧縮画像データバッファ
１０８  ＲＡＷ伸張部
１０９  簡易現像部
１１０  現像リサイズ部
１１１  パネル表示部
１１２  圧縮部
１１３  制御部
１１４  ＲＡＷ選択部
１１５  現像データ選択部
１１６  バッファＯＮ／ＯＦＦスイッチ
【図１】
2017168984.tif 000003
【図２】
2017168984.tif 000004
【図３】
2017168984.tif 000005
【図４】
2017168984.tif 000006
【図５】
2017168984.tif 000007
【図６】
2017168984.tif 000008
【図７】
2017168984.tif 000009